(57)【要約】      （修正有）【課題】機関銃等で一斉射撃の際、最初の射撃の着弾点と引き続く射撃の平均的な着弾点の間のずれを是正し、補償することを可能にする、改善された一斉射撃精度を有する火器を提供する。【解決手段】銃身２および支持フレーム４に取り付けられたケーシング３を備え、このフレームは銃身の軸Ｘ−Ｘ’に対し主として平行な方向に摺動することができる摺動部６が設けられたクレードル５を備え、このケーシング３は、一方では横方向の蝶番ピン１０によってクレードル５の摺動部６に取り付けられ、他方ではフレーム４に設けられた摺動案内部１２、２３に取り付けられた少なくとも１つのシュー１１によってフレーム４に取り付けられ、前記摺動案内部１２、２３が、静止している銃身の軸方向Ｘ−Ｘ’に対して傾いていることを特徴とする、改善された一斉射撃精度を有する火器である。【選択図】図３
2006208001.tif 000002
【特許請求の範囲】
【請求項１】
銃身（２）および支持フレーム（４）に取り付けられたケーシング（３）を備え、前記フレームは前記銃身の軸（Ｘ−Ｘ’）に対し主として平行な方向に摺動することができる摺動部（６）が設けられたクレードル（５）を備え、前記ケーシング（３）は、一方では横方向の蝶番ピン（１０）によって前記クレードル（５）の前記摺動部（６）に取り付けられ、他方では前記フレーム（４）に設けられた摺動案内部（１２、２３）に取り付けられた少なくとも１つのシュー（１１）によって前記フレーム（４）に取り付けられ、前記摺動案内部（１２、２３）が、静止している前記銃身の前記軸方向（Ｘ−Ｘ’）に対して傾いていることを特徴とする、改善された一斉射撃精度を有する火器。
【請求項２】
当該摺動案内部（１２）が当該ケーシング（３）の当該蝶番ピン（１０）からある距離離れた所に配置されることを特徴とする、請求項１に記載の火器。
【請求項３】
当該摺動案内部（１２）が、当該フレーム（４）上のケーシング（３）および銃身（２）の反動が、銃身（２）およびケーシング（３）のその蝶番ピン（１０）周りの傾斜した旋回に転換するようなものであることを特徴とする、請求項１または２に記載の火器。
【請求項４】
当該摺動案内部（１２）の案内方向（Ｚ−Ｚ’）が、当該ケーシング（３）の当該蝶番ピン（１０）に対して主として垂直な平面内に配置されることを特徴とする、請求項３に記載の火器。
【請求項５】
当該クレードル（５）の当該摺動部（６）の一部をなし、横方向の当該蝶番ピン（１０）および当該銃身の当該軸（Ｘ−Ｘ’）に対して垂直、または主として垂直な枢動軸（Ｕ−Ｕ’）周りを横方向に旋回することができる支持要素に、横方向の前記蝶番ピン（１０）が取り付けられることを特徴とする、請求項１または２に記載の火器。
【請求項６】
当該摺動案内部（２３）が、当該フレーム（４）上の当該ケーシング（３）および当該銃身（２）の反動が、当該蝶番ピン（１０）の当該支持要素の当該枢動軸（Ｕ−Ｕ’）周りの、前記ケーシングおよび前記銃身の横方向旋回に転換するようなものであることを特徴とする、請求項５に記載の火器。
【請求項７】
当該摺動案内部（２３）の案内方向（Ｗ−Ｗ’）が、当該枢動軸に対して主として垂直な平面内に配置されることを特徴とする、請求項６に記載の火器。
【請求項８】
おのおのが当該ケーシング（３）を支持するシュー（１１）を含む、少なくとも２つの摺動案内部（１２、２３）を備え、これらの摺動案内部（１２、２３）の寸法が、当該フレーム（４）上の前記ケーシング（３）および当該銃身（２）の反動が、前記銃身（２）の、前記ケーシング（３）の当該蝶番ピン（１０）周りの傾斜した旋回と、前記蝶番ピン（１０）の当該支持要素の当該枢動軸（Ｕ−Ｕ’）周りの横方向旋回に転換されるような寸法であることを特徴とする、請求項５に記載の火器。
【請求項９】
第１の摺動案内部（１２）の当該案内方向（Ｚ−Ｚ’）が当該ケーシング（３）の当該蝶番ピン（１０）に対して主として垂直な平面内に配置され、一方、第２の摺動案内部（２３）の当該案内方向（Ｗ−Ｗ’）が当該枢動軸に対して主として垂直な平面内に配置されることを特徴とする、請求項８に記載の火器。
【請求項１０】
当該第１の摺動案内部（１２）に取り付けられた当該シュー（１１）および当該第２の摺動案内部（２３）に取り付けられた前記シュー（１１）が単一の部片（２１）に一体化されることを特徴とする、請求項８に記載の火器。
【請求項１１】
２つの摺動案内部（１２および２３）が単一の部片（２１）に一体化されることを特徴とする、請求項８に記載の火器。
【請求項１２】
当該シュー（１１）が膨らんだ形状を有する横方向表面（２４）を備えることを特徴とする、請求項１から１１のいずれか一項に記載の火器。
【請求項１３】
静止している当該銃身の当該軸（Ｘ−Ｘ’）に対して当該摺動案内部（１２、２３）の傾斜角を調整する調整手段を備えることを特徴とする、請求項１から１２のいずれかに記載の火器。
【請求項１４】
装置が、銃身の軸（Ｘ−Ｘ’）に対し平行な長手方向に摺動することができる摺動部（６）が設けられたクレードル（５）を備える支持フレーム（４）に取り付けられた火器用の固定要素を備え、前記固定要素は、一方では横方向の蝶番ピン（１０）によって前記クレードル（５）の前記摺動部（６）に取り付けられ、かつ、前記フレーム（４）の摺動案内部（１２、２３）に取り付けられた少なくとも１つのシュー（１１）によって前記フレーム（４）に取り付けられ、前記摺動案内部（１２、２３）が前記長手方向に対して傾いていることを特徴とする、火器の一斉射撃精度を改善するための装置。
【発明の詳細な説明】
【技術分野】
【０００１】
本発明は、改善された一斉射撃精度を有する火器に関する。より詳しくは、本発明は、連射によって射撃することができる機関銃タイプの火器に関する。
【背景技術】
【０００２】
この火器は銃身および支持フレームに取り付けられたケーシングを備え、このフレームは銃身の軸に主として平行な方向に摺動することができる摺動部が設けられたクレードルを備え、このケーシングは、一方では横方向の蝶番ピンによってクレードルの摺動部に取り付けられ、他方ではフレームに設けられた摺動案内部に取り付けられた少なくとも１つのシューによってフレームに取り付けられる。
【０００３】
この火器は、三脚、遠隔制御の銃座または何であれ任意の他の支持部にそのフレームによって取り付けることができる。
【０００４】
このケーシングおよび銃身は、銃身の軸方向に移動することができ、ケーシングはクレードルの摺動部によって、かつ、公知の火器の場合、銃身の軸と平行なフレームの摺動案内部内に保持されるシューによって支持される。
【０００５】
静止しているとき、クレードルの摺動部は、１個またはいくつかのばねによって中間位置に維持される。
【０００６】
発砲する際は、摺動部およびシューが、射撃している弾薬の推進ガスの反力の効果により火器の誘導された反動を可能にし、そして、１つまたは複数のばねが、１つまたはいくつかのショック・アブソーバによって助けられまたは助けなしに、連射による発砲の際のケーシングの軸方向前後への移動を減衰させ、平均的な軸位置の周りにケーシングの位置を安定化させることができるようにする。
【０００７】
フレーム上のケーシングの蝶番ピンによって、ケーシングおよび銃身が傾動可能になる。
【０００８】
連射によって発砲するときは、１弾ずつ発砲するときのように、最初の弾丸は火器の静止位置で発砲され、火器は最初の弾丸の衝撃に起因して反動する。
【０００９】
最初の射撃の直ぐ後で、および引き続く射撃中に、火器の可動要素とシューなどの連結要素が再結合するとき、銃身はそれ自体を所定の位置に向かわせ、かつ銃身は、引き続く射撃の効果によって銃身がその周りを揺動する平均的な上昇した、そらされた位置にそれ自体を向かわせる。
【００１０】
銃身のそのような揺れは、最初の一斉射撃時に引き続く射撃の弾着がその中に集まる中心を形成する、平均弾着点の周りに発砲する弾着を分散させる一因となる。
【００１１】
公知の火器の場合は、我々は、最初の射撃の当初の弾着点と引き続く射撃の平均的な弾着点の間のずれに気が付いており、このずれは、最初の射撃を含め全ての一斉射撃を考慮に入れている射撃精度の低下に転換される。
【発明の開示】
【発明が解決しようとする課題】
【００１２】
本発明は、上述のおよび他の不利益を修復し、最初の射撃の当初の弾着点と引き続く射撃の平均的な弾着点の間のずれを是正し補償することを可能にする、改善された一斉射撃精度を有する火器を提供することである。
【課題を解決するための手段】
【００１３】
この目的は、本発明にしたがって上記で説明したタイプの火器で達成することができるが、ケーシングのシューの摺動案内部は銃身の軸と平行ではなく、静止しているときはこの軸の方向に対して傾いている。
【００１４】
一斉射撃を発砲するとき、銃身およびケーシングは反動し、要素が再結合するときそれらがそれら自体を是正しようとする。
【００１５】
ケーシングのシューが傾いた摺動案内部によって案内されるので、ケーシングの反動は、銃身をその当初の静止位置に戻すことができるようにケーシングを蝶番ピンの周りに旋回させる。これは、最初の射撃後の射撃の平均的な弾着点を最初の射撃の当初の弾着点に近づかせ、その結果、改善された正確性を有する一斉射撃に転換される。
【００１６】
好ましい実施形態によれば、この火器は、おのおのがケーシング・シューを含む少なくとも２つの摺動案内部を備え、これらの摺動案内部の寸法は、フレーム上のケーシングおよび銃身の反動が、その横方向の蝶番ピンの周りの銃身およびケーシングの傾斜した旋回と、横方向の蝶番ピンおよび銃身の軸に対して垂直な、または主として垂直な軸周りの横向きの旋回に転換されるような寸法である。
【００１７】
その結果、２つの直交する平面、例えば垂直平面および水平平面内の最初の射撃の当初の弾着点と引き続く射撃の平均的な弾着点の間のずれを、完全に除去することができるように補償することができる。
【００１８】
本発明は、この火器の一斉射撃精度を改善するための装置にも関し、この装置は、銃身の軸に平行に長手方向に摺動することができる摺動部が設けられたクレードルを備える支持フレーム上に取り付けられた火器用の固定要素を備え、この固定要素は、一方では横方向の蝶番ピンによってクレードルの摺動部に取り付けられ、かつフレームに設けられた摺動案内部に取り付けられた少なくとも１つのシューによってフレームに取り付けられ、前記摺動案内部は前記長手方向に対して傾いている。
【発明を実施するための最良の形態】
【００１９】
本発明の特徴をよりよく説明するために、公知の火器と、改善された一斉射撃精度を有する本発明による火器の実施形態の一例を、いかなる形でも限定的ではなく一例としてのみ、添付の図面を参照して行う。
【００２０】
図１は、公知の火器１、特に連射によって発砲できる機関銃を示す。
【００２１】
この公知の火器１は、支持フレーム４に取り付けられた銃身２およびケーシング３を備え、フレームは、静止している銃身２の幾何学的軸Ｘ−Ｘ’に主として平行な方向に従って、支持フレーム４内を摺動することができる摺動部６が設けられた弾性的なクレードル５を備える。
【００２２】
摺動部６は、摺動部が前方並びに後方に向かって移動できるような方法で伸縮ばね７によって自由な中間位置に維持される。
【００２３】
フレーム４は、クレードル５の摺動部６の移動を減衰させるための１つまたは２つのショック・アブソーバ８も備える。
【００２４】
ケーシング３は、一方では横方向の蝶番ピン１０によって、クレードル５の摺動部６の２つの平行な、間隔を開けて配置される耳９の間に蝶番で取り付けられている。
【００２５】
他方では、このケーシング３は、フレームの一部をなし、かつ、静止している銃身の軸Ｘ−Ｘ’に平行な２つの案内壁１３によって制限される摺動案内部１２に取り付けられたシュー１１を用いてフレーム４によって支持される。
【００２６】
一般的な方法では、ケーシング４の蝶番ピン１０からある距離にある２つの摺動案内部内を摺動する２つのシュー１１がある。
【００２７】
火器１の機構は良く知られている。
【００２８】
最初の一斉射撃が発砲されるとき、銃身はその静止位置にあり、その軸は軸Ｘ−Ｘ’に一致して向けられている。
【００２９】
当初の弾着点と呼ばれる、最初の射撃の弾着点は、図１の目標１５上に点１４によって概略的に示されている。
【００３０】
一斉射撃の引き続く射撃が発砲されるとき、銃身２およびケーシング３は、静止している銃身の軸の方向Ｘ−Ｘ’に移動できるように摺動部６およびシュー１１によって支持されながら、発砲された弾薬の推進ガスに起因して後方へ反動する。
【００３１】
発砲中、銃身２およびケーシング３は、それらの静止位置に対して移動Ａによって特徴づけられる、平均反動位置Ｍの周りを揺動し、この揺動移動は、１つまたは複数の伸縮ばね７、および１つまたは複数のショック・アブソーバ８の働きによって減衰され、または安定化される場合もあれば、またはされない場合もある。
【００３２】
同時に、銃身２およびケーシング３は、複数の要素、すなわち火器１の移動可能な要素および摺動案内部１２内のシュー１１などの連結要素が再結合するとき、推進ガスの働きによって自分自身を補正する。
【００３３】
銃身２は、静止方向Ｘ−Ｘ’とある角度Ｂを形成する平均的な方向Ｙ−Ｙ’の周りを回転するように揺動する。
【００３４】
連射によるこの発砲の動力学は、何故最初の一斉射撃のときに引き続く射撃の弾着１６が、その中心が当初の弾着点１４から上のある距離Ｃに位置している平均的な弾着点１８と呼ばれるあるゾーン１７内に集まるかを明らかにしている。
【００３５】
火器１の移動可能要素が再結合するとき、銃身２がそれ自身を補正するのみならず、銃身２の銃口２Ａも横方向に移動させられ、これが、当初の弾着点１４に対する平均弾着点１８の移動Ｄに結果としてなる。
【００３６】
平均弾着点１８と当初の弾着点１４の間のずれは、あまり正確でない一斉射撃に変換される。
【００３７】
図３から７は、図１の火器１に似ているが、ケーシング３の反動がケーシング３および銃身２の、ケーシング３の蝶番ピン１０周りの旋回に転換されるように、ケーシング３のシュー１１が摺動案内部１２に取り付けられている、本発明による改善された火器１９を示す。
【００３８】
この目的のために、摺動案内部１２は静止しているときの銃身２の軸の方向Ｘ−Ｘ’に対して傾斜している、換言すれば、摺動案内部１２の案内壁１３が、摺動案内部１２の案内方向Ｚ−Ｚ’がケーシング３の蝶番ピン１０に対して垂直な平面内に配置されるように、図４に示すように軸Ｘ−Ｘ’とある角度Ｅを形成する。
【００３９】
好ましい実施形態によれば、横方向の蝶番ピン１０を支持する耳９は、クレードル５の摺動部６の一部をなす、図示しない支持要素に固定され、それによってこの支持要素は、図３および４に示すように、横方向の蝶番ピン１０および銃身の軸Ｘ−Ｘ’に対して垂直、または主として垂直な枢動軸Ｕ−Ｕ’の周りを横方向に旋回することができる。
【００４０】
与えられた例では、２つのシュー１１は、図５に示すように単一の一体化した部片２１を形成できるようにロッド２０によって相互結合されており、この部片は摺動案内部１２の案内壁１３の間に、かつ、横方向Ｗ−Ｗ’でのシュー１１の案内として働く追加の摺動案内部２３を実現できるように、銃身２の軸Ｘ−Ｘ’に対してある角度Ｆで傾いている２つの垂直な案内面２２間に取り付けられている。
【００４１】
摺動案内部２３の効果は、ケーシング３の反動が銃身２の銃口の横方向移動に結果としてなり、一方、ケーシング３および銃身２を蝶番ピン１０の支持要素の枢動軸Ｕ−Ｕ’周りに旋回させることである。
【００４２】
図５の例では、シュー１１の横方向表面２４は案内平面２２と接触しており、それらは膨れた形状を有する。
【００４３】
本発明による火器１９の機構は公知の火器１の機構とは異なり、静止している銃身の軸Ｘ−Ｘ’に対する摺動案内部１２および２３の傾きに起因して、最初の一斉射撃後のケーシング３および銃身２の反動は、銃身２の例えば底部に向かう傾き、および銃身２の銃口２Ａの例えば右への横方向移動に転換される。
【００４４】
推進ガスの働きによる銃身２の傾きを図４、６、７に示す。
【００４５】
図４は、静止している状態に対応し、一方、図６および７はそれぞれ、最初の射撃後の移動可能要素の位置および一斉射撃中の要素の平均位置に対応する。
【００４６】
図６および７は、ケーシング３の反動がシュー１１を摺動案内部１２内で上昇させ、その結果、銃身２を底部に向かって傾斜させることを明瞭に示す。
【００４７】
軸Ｘ−Ｘ’に対する摺動案内部１２および２３の傾き角ＥおよびＦはそれぞれ、平均的な弾着点１８が当初の弾着点１４に修正され、それによって図３に示すように、垂直方向ずれＣおよび横方向ずれＤが除去されるように選択される。
【００４８】
このようにして、最初の射撃による当初の弾着１４および一斉射撃の引き続く弾着１６を含めて、全ての弾着がより良好に集められるので、一斉射撃の精度は相当に改善される。
【００４９】
本発明は機関銃に限定されず、連射によって発砲することができる他の自動または半自動火器にも適用することができる。
【００５０】
単一の部片２１に一体化されたシュー１１を使用する代わりに、例えば、垂直および横方向に一斉射撃を是正するための分離されたシューも使用することができることは明らかである。
【００５１】
火器のタイプに応じて、専ら垂直方向に、または専ら横方向に発砲の是正を行うことは除外されない。
【００５２】
この是正は、必ずしも垂直または水平面に位置付けるべきではない。
【００５３】
シュー１１の代わりに、台車、球などの他の案内手段も使用できることは明らかである。
【００５４】
１つの任意選択として、連射で発砲するとき精度を是正し、弾着点１４に平均的弾着点１８を修正することができるように、銃身２の軸Ｘ−Ｘ’に対する摺動案内部１２および２３の傾きを調整する調整システムを設けることができる。
【００５５】
火器１がフレームに直接取り付けられず、固定要素の中間部を介することは除外されない。
【００５６】
その場合は、フレームおよび前記固定要素は共に、この火器で連射で発砲するとき精度を改善できるように、その上に火器を取り付けることができる装置を形成する。
【００５７】
本発明は、いかなる形でも上記で説明した例に限定されず、それどころか、以下の特許請求の範囲に定義される本発明の範囲内に依然として留まりながら、上記で説明した火器に多くの改変を行うことができる。
【図面の簡単な説明】
【００５８】
【図１】一部分が垂直な断面で示された、公知の火器の概略側面図である。
【図２】図１でＦ２によって示す部分の拡大図である。
【図３】図１の火器と同様な図であるが、本発明による火器を示す図である。
【図４】図３でＦ４によって示す部分の拡大図である。
【図５】図４の線Ｖ−Ｖに沿った拡大断面図である。
【図６】図４のものと同様な図であるが、２つの異なる位置に対する図である。
【図７】図４のものと同様な図であるが、２つの異なる位置に対する図である。
【符号の説明】
【００５９】
１  公知の火器
２  銃身
２Ａ  銃口
３  ケーシング
４  支持フレーム
５  クレードル
６  摺動部
７  伸縮ばね
８  ショック・アブソーバ
９  耳
１０  蝶番ピン
１１  シュー
１２  摺動案内部
１３  案内壁
１４  当初の弾着点
１５  目標
１６  引き続く射撃の弾着
１７  ゾーン
１８  平均的な弾着点
１９  本発明による改善された火器
２０  ロッド
２１  単一の部片
２２  案内面、横方向表面
２３  摺動案内部
【図１】
2006208001.tif 000003
【図２】
2006208001.tif 000004
【図３】
2006208001.tif 000005
【図４】
2006208001.tif 000006
【図５】
2006208001.tif 000007
【図６】
2006208001.tif 000008
【図７】
2006208001.tif 000009